(57)【特許請求の範囲】
【請求項１】
２本の平板状脚の下端のそれぞれの内面に、ヒューズの板状導電端子の長手方向に対して垂直な絶縁ハウジングの両側面にそれぞれ一ヶ所のみ設けられた係合部に、係合する係止部を一ヶ所のみ設け、
該係止部の上方の前記平板状脚の内面に、前記平板状脚を相対的に連結する可撓性を有する連結部を有するヒューズ着脱クリップ。
【請求項２】
一対の平行な板状導電端子と該板状導電端子間に掛けられる溶断部を備えたヒューズエレメントと、前記溶断部及び前記板状導電端子の少なくとも一部を覆うように取付けられる絶縁ハウジングとからなるヒューズであって、
前記板状導電端子の長手方向に対して垂直な絶縁ハウジングの両側面に、請求項１に記載の前記ヒューズ着脱クリップの係止部が係合する係合部が、それぞれ一ヶ所のみ設けられていることを特徴とするヒューズ。
【発明の詳細な説明】
【技術分野】
【０００１】
本願発明は、主に自動車用電気回路等に用いられる差込式のヒューズ及び、ヒューズボックスへのヒューズの抜き差し作業に用いるヒューズ着脱クリップに関する。
【背景技術】
【０００２】
従来から、ヒューズは、自動車などにおいてバッテリと各種電装品との間に過電流が流れた場合に回路を保護するために使用されてきた。そして、複数のヒューズを集約するのにヒューズボックスが用いられ、ヒューズは縦横に一定間隔で配置される。
【０００３】
従来のヒューズとしては特許文献１が、ヒューズ着脱クリップとしては特許文献２が知られている。前記従来のヒューズをヒューズボックスに縦横に一定間隔で配置し、ヒューズ着脱クリップで抜き差しをしている様子を図４に示す。
【０００４】
図４に示すように、ヒューズ４０は、ヒューズボックスBに縦横に一定間隔で並べられている。ヒューズ４０の両側は板状導電端子３１で構成され、ヒューズボックスBの内部には板状導電端子３１を差し込むヒューズ用メス端子（不図示）が設けられている。
【０００５】
ヒューズ着脱クリップ３０は、板状導電端子３１の長手方向に平行になるようにヒューズ４０を挟み、ヒューズ４０の上端にある段部３２に係止爪２２を係止させている。そして、ヒューズを引き抜く際は、そのまま平板状脚２１を両側から掴んで引き抜き、またヒューズを差し込む際は、ヒューズ４０の頭部に横桟状突起２３を当接させて、ヒューズを押し込む。
【０００６】
ヒューズ４０間の横の間隔は、ヒューズボックスBの内部に設けられているヒューズ用メス端子や配線等の関係より、ある一定の横の間隔L１を設けることが必要で、それ以上狭くすることはできない。
また、ヒューズ４０間の縦の間隔は、ヒューズ４０を抜き差しする際に、ヒューズ着脱クリップ３０の先端にある係止爪２２が、ヒューズ４０の上端にある段部３２に係止できるように、一定の縦の間隔Ｌ２を設ける必要がある。このように、縦横にそれぞれ一定の間隔を設けなければならず、複数のヒューズを集約するとヒューズボックスが大型化してしまう。
【先行技術文献】
【特許文献】
【０００７】
【特許文献１】特開２００３−３１７６０５号公報
【特許文献２】特開平１１−２７３５４２号公報
【発明の開示】
【発明が解決しようとする課題】
【０００８】
そこで、本願発明は、上記問題に鑑み、ヒューズ用メス端子や配線等の関係から確保しなければならない横の間隔L1を有効活用し、縦の間隔L2の間隔を小さくすることが可能であるヒューズ及びヒューズ着脱クリップを提供することを目的とする。
【課題を解決するための手段】
【０００９】
本願発明のヒューズ着脱クリップは、２本の平板状脚の下端のそれぞれの内面に、ヒューズの板状導電端子の長手方向に対して垂直な絶縁ハウジングの両側面にそれぞれ一ヶ所のみ設けられた係合部に、係合する係止部を一ヶ所のみ設け、該係止部の上方の前記平板状脚の内面に、前記平板状脚を相対的に連結する可撓性を有する連結部を有することを特徴としている。
【００１０】
上記特徴によれば、ヒューズを抜き差しする際に、２本の平板状脚の下端の内面に、ヒューズの板状導電端子の長手方向に対して垂直な絶縁ハウジングの両側面に設けられた係合部に、ヒューズ着脱クリップの平板状脚の下端の内面に設けられた係止部を係合するように、ヒューズをヒューズ着脱クリップで挟みこむことができる。なお、係止部は、凹形状のくぼみ、または凸形状の爪等、絶縁ハウジングの両側面に設けられた係合部に係合できる形状であればよい。
【００１１】
さらに、上記ヒューズ着脱クリップと対になって使用する本願発明のヒューズは、一対の平行な板状導電端子と該板状導電端子間に掛けられる溶断部を備えたヒューズエレメントと、前記溶断部及び前記板状導電端子の少なくとも一部を覆うように取付けられる絶縁ハウジングとからなるヒューズであって、前記板状導電端子の長手方向に対して垂直な絶縁ハウジングの両側面に、係合部がそれぞれ一ヶ所のみ設けられていることを特徴としている。
【００１２】
従来は、図４のように、前記板状導電端子３１の長手方向に対して平行な絶縁ハウジングの両側面にある段部３２等にヒューズ着脱クリップの係止爪を引っ掛るように挟み込んで抜き差しをしていた。一方、本願発明によれば、前記板状導電端子の長手方向に対して垂直な絶縁ハウジングの両側面に係合部を設けているので、その係合部にヒューズ着脱クリップの係止部を係合するように挟み込んで抜き差しする事ができる。つまり、本願発明のヒューズ着脱クリップでヒューズを挟む方向は、従来の挟む方向に対してほぼ直角になる。
【００１３】
このように、上記特徴を持つ本願発明のヒューズ着脱クリップ及びヒューズを用いれば、前記板状導電端子の長手方向に対して垂直な絶縁ハウジングの両側面を掴むようにヒューズ着脱クリップを使用することができる。そのため、ヒューズ着脱クリップの先端が入る間隔は、ヒューズ間の横の間隔L1によって確保されるので、ヒューズ間の縦の間隔L2は、ヒューズ着脱クリップの先端が入る間隔を確保する必要がなく、従来と比べて狭くできるという効果を奏する。また、上記係合部は、丸穴や丸穴凹状の溝等、或いは係止部に係合出来ればよいので突起であってもよい。
【００１４】
また、本願発明の参考例に係るヒューズは、前記板状導電端子の長手方向に対して垂直な絶縁ハウジングの両側面に、前記係合部が複数設けられていることを特徴としている。
【００１５】
上記特徴によれば、前記板状導電端子の長手方向に対して垂直な絶縁ハウジングの両側面に、使用態様に合わせて、係合部を複数設けることができる。
【発明の効果】
【００１６】
上記に記したように、本願発明のヒューズ及びヒューズ着脱クリップによれば、複数のヒューズをヒューズボックスに配置した時に、ヒューズ間の間隔を狭くでき、ヒューズボックス全体を小型化できる。
【図面の簡単な説明】
【００１７】
【図１】（a）は、本願発明のヒューズ着脱クリップの上面図、（b）は、ヒューズ着脱クリップの断面図、（c）は、ヒューズ着脱クリップの側面図である。
【図２】（a）は、図１のヒューズ着脱クリップが本願発明のヒューズを挟む前の状態を示す斜視図、（b）は、（a）の状態から挟みこんだ後の状態を示す斜視図、（c）は、ヒューズエレメントに絶縁ハウジングが取り付けられた状態を示す斜視図、（d）は、絶縁ハウジングを中央で分離した状態を示す斜視図、（ｅ）は、本願発明のヒューズ着脱クリップの参考例を示すもので、ヒューズ着脱クリップ内面の先端を示す図、（ｆ）は本願発明のヒューズの参考例を示すもので、ヒューズ上端部を示す図である。
【図３】図１のヒューズ着脱クリップと図２のヒューズを使用している状態を示す斜視図である。
【図４】従来のヒューズ着脱クリップとヒューズを使用している状態を示す斜視図である。
【発明を実施するための形態】
【００１８】
以下に、本願発明の実施の形態について、図面を用いて説明する。
【００１９】
図１は、本願発明のヒューズ着脱クリップ１０の一例を示すもので、（a）は、本願発明のヒューズ着脱クリップ１０の上面図、（b）は、ヒューズ着脱クリップ１０の断面図、（c）は、ヒューズ着脱クリップ１０の側面図である。
【００２０】
図１の（ａ）に示すように、合成樹脂等の絶縁体である２本の平板状脚１が、可撓性を有する連結部４によって連結されている。なお、連結部４は、可撓性を有するものであればよく、合成樹脂等の素材やバネなどで形成してもよい。
【００２１】
図１の（ｂ）に示すように、平板状脚１の先端中央に係止爪２（係止部）、その上方に横桟状突起３が設けられている。平板状脚１の上端は使用者が掴みやすくするため幅が広く、平板状脚１の先端はヒューズの側面幅より狭くするか、または、ヒューズ間の縦の間隔L2を狭くすることの妨げにならない程度で、先端の幅をヒューズの側面幅より広くできる。また、平板状脚１の上半分の表面には複数の滑り止め突起５が設けられている。
【００２２】
図１の（ｃ）に示すように、２枚の平板状脚１は、その内面側中央付近で連結部４により相対的に連結されている。よって、平板状脚１の連結部４より上端を指で摘むことで、平板状脚１の先端が相対的に離れて、ヒューズを上方から挟み込み易くなる。また、平板状脚１の摘んだ指を離せば、平板状脚１の先端が近づき、ヒューズを挟むことができる。
【００２３】
図２は、図１のヒューズ着脱クリップ１０と本願発明のヒューズ２０の一例を示すもので、（a）は、図１のヒューズ着脱クリップ１０が本願発明のヒューズ２０を挟む前の状態を示す斜視図、（b）は、（a）の状態から挟みこんだ後の状態を示す斜視図、（c）は、ヒューズエレメント１４にハウジング１５が取り付けられた状態を示す斜視図、（d）は、ハウジング１５を中央で分離した状態を示す斜視図、（ｅ）は、本願発明のヒューズ着脱クリップの参考例を示すもので、ヒューズ着脱クリップ１０Ａの平板状脚内面の先端を示す図、（ｆ）は本願発明のヒューズの参考例を示すもので、ヒューズ２０Ａ上端部を示す図である。
【００２４】
図２の（ａ）に示すように、ヒューズ着脱クリップ１０をヒューズ２０の両側から挟みこむ際は、平板状脚１の連結部４より上端を指で摘んで、平板状脚１の先端を開く。そして、係止爪２が絶縁ハウジング１５に設けられた溝１１（係合部）に係止させ、指を離すと図２の（ｂ）に示す状態となる。また、この状態からヒューズを上方向に引き抜く場合は、平板状脚１の連結部４より下端を指で摘んで、ヒューズ２０を強固に挟み、溝１１に係止爪２を係止させたまま引き抜く。反対に、ヒューズ２０を下方向に押し込む場合は、平板状脚１の連結部４より下端を指で摘んで、ヒューズ２０を強固に挟み、横桟状突起３の下部を絶縁ハウジング１５の上面に当接させて押し込む。
【００２５】
図２の（ｃ）に示すように、絶縁ハウジング１５は、板状導電端子１４ａの一部と溶断部１２を覆うように取り付けられ、溶断部１２は外部から密閉された状態となる。また、板状導電端子１４ａの両端は絶縁ハウジング１５に覆われていないが、これはヒューズボックス側に設けられたヒューズ用メス端子（不図示）に差し込むためである。
また、絶縁ハウジング１５の両側面であって、板状導電端子１４ａの長手方向に対して垂直な側面１５ｄには、溝１１が設けられている。
【００２６】
図２の（ｄ）に示すように、絶縁ハウジング１５の中央の上端及び下端に突起１５ａと１５ｂが設けられている。また、板状導電端子１４ａの内側から、溶断部１２の上下空間に延設部１４ｂが延設されている。これらにより、ヒューズエレメント１４に絶縁ハウジング１５を取り付ける際に、突起１５ａと１５ｂがヒューズエレメント１４の上端及び下端の延設部１４ｂの間に差し込まれるようになっており、取り付けにおける位置決めが容易となる。
また、絶縁ハウジング１５がヒューズエレメント１４に係合固定されるために、ヒューズエレメント１４の延設部１４ｂに突起１４ｃ、絶縁ハウジング１５に突起１５ｃが設けられている。これにより、ヒューズ２０を抜き差しする際にも、絶縁ハウジング１５とヒューズエレメント１４の固定を確実にすることができる。
【００２７】
図２の（ｅ）に示すように、ヒューズ着脱クリップ１０Ａの平板状脚内面の先端には、係止爪２Ａが２つ設けられている。これは、（ｆ）に示すヒューズ２０Ａにおいて、板状導電端子の長手方向に対して垂直な絶縁ハウジング１５Ａの両側面に、それぞれ溝１１Ａが２つ設けられていることに対応している。
このように、両側面にそれぞれ溝１１Ａを２つ設けているが、これに限定されることはなく、使用態様に合わせて、溝の数を適宜変更することができる。
【００２８】
図３は、図１のヒューズ着脱クリップ１０と図２のヒューズ２０をヒューズボックスBに複数配置して使用している状態を示す斜視図である。
【００２９】
図３に示すように、ヒューズボックスBにヒューズ２０が複数配置され、ヒューズ２０間の横の間隔はL1、縦の間隔はL2となっている。ヒューズ２０を抜き差しする際は、ヒューズ２０を横方向から挟みこむようにヒューズ着脱クリップ１０を使用する。そのため、図４の従来のヒューズ着脱クリップ３０でヒューズ４０を縦方向から挟み込まないので、ヒューズ着脱クリップ３０の先端が入る間隔を確保する必要がなく、その結果、間隔L2を狭くできる。
【００３０】
また、ヒューズ２０間の横の間隔L1は、ヒューズボックスBの内部に設けられているヒューズ用メス端子や配線等の関係より、一定間隔を確保する必要があり、図３と図４の横の間隔Ｌ１は同じ間隔である。
【００３１】
図３の本願発明の場合と図４の従来の場合を比較すると、ヒューズボックスBは同じ大きさで、尚且つ間隔L1も同じ間隔であるが、本願発明は図３のように間隔L2を狭くすることができるので、その結果、配置できるヒューズの数が多くなる。つまり、同数のヒューズを集約する場合には、必要なヒューズボックスの大きさを小さくすることができる。
【００３２】
なお、本願発明のヒューズ及びヒューズ着脱クリップは、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００３３】
本願発明のヒューズ及びヒューズ着脱クリップは、ヒューズボックスを小型化することが要請される産業分野に、例えば、自動車用の電気回路や、電化製品等に用いることができる。
【符号の説明】
【００３４】
１     平板状脚
２、２Ａ      係止爪
３     横桟状突起
４      連結部
５      すべり止め突起
１０、１０Ａ    ヒューズ着脱クリップ
１１、１１Ａ    溝
１２    溶断部
１４    ヒューズエレメント
１４ａ  板状導電端子
１４ｂ  延設部
１４ｃ  突起
１５、１５Ａ    絶縁ハウジング
１５ａ  突起
１５ｂ  突起
１５ｃ  突起
１５ｄ  側面
２０、２０Ａ    ヒューズ
２１   平板状脚  （従来）
２２   係止爪  （従来）
２３   横桟状突起  （従来）
３０    ヒューズ着脱クリップ  （従来）
３１    板状導電端子  （従来）
３２    段部  （従来）
４０    ヒューズ  （従来）
Ｂ      ヒューズボックス
Ｌ１    横の間隔
Ｌ２    縦の間隔
【図１】
0005525796.tif 000002
【図２】
0005525796.tif 000003
【図３】
0005525796.tif 000004
【図４】
0005525796.tif 000005